【手続補正書】
【提出日】令和2年9月8日(2020.9.8)
【手続補正１】
【補正対象書類名】特許請求の範囲
【補正対象項目名】全文
【補正方法】変更
【補正の内容】
【特許請求の範囲】
【請求項１】
第１のゲートドライバ回路と、第２のゲートドライバ回路と、前記第１のゲートドライバ回路と前記第２のゲートドライバ回路との間の画素部と、ゲート線と、を有し、
前記第１のゲートドライバ回路は、第１のトランジスタ乃至第９のトランジスタを有し、
前記第２のゲートドライバ回路は、第１０のトランジスタ乃至第１８のトランジスタを有し、
前記第１のトランジスタのソース又はドレインの一方は、前記ゲート線と電気的に接続され、
前記第１のトランジスタのソース又はドレインの他方は、第１の配線と電気的に接続され、
前記第２のトランジスタのソース又はドレインの一方は、前記ゲート線と電気的に接続され、
前記第２のトランジスタのソース又はドレインの他方は、第２の配線と電気的に接続され、
前記第３のトランジスタのソースまたはドレインの一方は、前記第２のトランジスタのゲートに電気的に接続され、
前記第３のトランジスタのソースまたはドレインの他方は、第３の配線に電気的に接続され、
前記第４のトランジスタのソースまたはドレインの一方は、前記第２のトランジスタのゲートに電気的に接続され、
前記第４のトランジスタのソースまたはドレインの他方は、前記第２の配線に電気的に接続され、
前記第４のトランジスタのゲートは、前記第１のトランジスタのゲートに電気的に接続され、
前記第５のトランジスタのソースまたはドレインの一方は、前記第３のトランジスタのゲートに電気的に接続され、
前記第５のトランジスタのソースまたはドレインの他方は、前記第３の配線に電気的に接続され、
前記第５のトランジスタのゲートは、前記第３の配線に電気的に接続され、
前記第６のトランジスタのソースまたはドレインの一方は、前記第３のトランジスタのゲートに電気的に接続され、
前記第６のトランジスタのソースまたはドレインの他方は、前記第２の配線に電気的に接続され、
前記第６のトランジスタのゲートは、前記第１のトランジスタのゲートに電気的に接続され、
前記第７のトランジスタのソースまたはドレインの一方は、前記第１のトランジスタのゲートに電気的に接続され、
前記第７のトランジスタのソースまたはドレインの他方は、第４の配線に電気的に接続され、
前記第７のトランジスタのゲートは、前記第４の配線に電気的に接続され、
前記第８のトランジスタのソースまたはドレインの一方は、前記第１のトランジスタのゲートに電気的に接続され、
前記第８のトランジスタのソースまたはドレインの他方は、前記第２の配線に電気的に接続され、
前記第８のトランジスタのゲートは、第５の配線に電気的に接続され、
前記第９のトランジスタのソースまたはドレインの一方は、前記第１のトランジスタのゲートと電気的に接続され、
前記第９のトランジスタのソースまたはドレインの他方は、前記第２の配線と電気的に接続され、
前記第９のトランジスタのゲートは、前記第２のトランジスタのゲートと電気的に接続され、
前記第１０のトランジスタのソース又はドレインの一方は、前記ゲート線と電気的に接続され、
前記第１０のトランジスタのソース又はドレインの他方は、第６の配線と電気的に接続され、
前記第１１のトランジスタのソース又はドレインの一方は、前記ゲート線と電気的に接続され、
前記第１１のトランジスタのソース又はドレインの他方は、第７の配線と電気的に接続され、
前記第１２のトランジスタのソースまたはドレインの一方は、前記第１１のトランジスタのゲートに電気的に接続され、
前記第１２のトランジスタのソースまたはドレインの他方は、第８の配線に電気的に接続され、
前記第１３のトランジスタのソースまたはドレインの一方は、前記第１１のトランジスタのゲートに電気的に接続され、
前記第１３のトランジスタのソースまたはドレインの他方は、前記第７の配線に電気的に接続され、
前記第１３のトランジスタのゲートは、前記第１０のトランジスタのゲートに電気的に接続され、
前記第１４のトランジスタのソースまたはドレインの一方は、前記第１２のトランジスタのゲートに電気的に接続され、
前記第１４のトランジスタのソースまたはドレインの他方は、前記第８の配線に電気的に接続され、
前記第１４のトランジスタのゲートは、前記第８の配線に電気的に接続され、
前記第１５のトランジスタのソースまたはドレインの一方は、前記第１２のトランジスタのゲートに電気的に接続され、
前記第１５のトランジスタのソースまたはドレインの他方は、前記第７の配線に電気的に接続され、
前記第１５のトランジスタのゲートは、前記第１０のトランジスタのゲートに電気的に接続され、
前記第１６のトランジスタのソースまたはドレインの一方は、前記第１０のトランジスタのゲートに電気的に接続され、
前記第１６のトランジスタのソースまたはドレインの他方は、第９の配線に電気的に接続され、
前記第１６のトランジスタのゲートは、前記第９の配線に電気的に接続され、
前記第１７のトランジスタのソースまたはドレインの一方は、前記第１０のトランジスタのゲートに電気的に接続され、
前記第１７のトランジスタのソースまたはドレインの他方は、前記第７の配線に電気的に接続され、
前記第１７のトランジスタのゲートは、第１０の配線に電気的に接続され、
前記第１８のトランジスタのソースまたはドレインの一方は、前記第１０のトランジスタのゲートと電気的に接続され、
前記第１８のトランジスタのソースまたはドレインの他方は、前記第７の配線と電気的に接続され、
前記第１８のトランジスタのゲートは、前記第１０のトランジスタのゲートと電気的に接続される表示装置。
【請求項２】
第１のゲートドライバ回路と、第２のゲートドライバ回路と、前記第１のゲートドライバ回路と前記第２のゲートドライバ回路との間の画素部と、ゲート線と、を有し、
前記第１のゲートドライバ回路は、第１のトランジスタ乃至第９のトランジスタを有し、
前記第２のゲートドライバ回路は、第１０のトランジスタ乃至第１８のトランジスタを有し、
前記第１のトランジスタのソース又はドレインの一方は、前記ゲート線と電気的に接続され、
前記第１のトランジスタのソース又はドレインの他方は、第１の配線と電気的に接続され、
前記第２のトランジスタのソース又はドレインの一方は、前記ゲート線と電気的に接続され、
前記第２のトランジスタのソース又はドレインの他方は、第２の配線と電気的に接続され、
前記第３のトランジスタのソースまたはドレインの一方は、前記第２のトランジスタのゲートに電気的に接続され、
前記第３のトランジスタのソースまたはドレインの他方は、第３の配線に電気的に接続され、
前記第４のトランジスタのソースまたはドレインの一方は、前記第２のトランジスタのゲートに電気的に接続され、
前記第４のトランジスタのソースまたはドレインの他方は、前記第２の配線に電気的に接続され、
前記第４のトランジスタのゲートは、前記第１のトランジスタのゲートに電気的に接続され、
前記第５のトランジスタのソースまたはドレインの一方は、前記第３のトランジスタのゲートに電気的に接続され、
前記第５のトランジスタのソースまたはドレインの他方は、前記第３の配線に電気的に接続され、
前記第５のトランジスタのゲートは、前記第３の配線に電気的に接続され、
前記第６のトランジスタのソースまたはドレインの一方は、前記第３のトランジスタのゲートに電気的に接続され、
前記第６のトランジスタのソースまたはドレインの他方は、前記第２の配線に電気的に接続され、
前記第６のトランジスタのゲートは、前記第１のトランジスタのゲートに電気的に接続され、
前記第７のトランジスタのソースまたはドレインの一方は、前記第１のトランジスタのゲートに電気的に接続され、
前記第７のトランジスタのソースまたはドレインの他方は、第４の配線に電気的に接続され、
前記第７のトランジスタのゲートは、前記第４の配線に電気的に接続され、
前記第８のトランジスタのソースまたはドレインの一方は、前記第１のトランジスタのゲートに電気的に接続され、
前記第８のトランジスタのソースまたはドレインの他方は、前記第２の配線に電気的に接続され、
前記第８のトランジスタのゲートは、第５の配線に電気的に接続され、
前記第９のトランジスタのソースまたはドレインの一方は、前記第１のトランジスタのゲートと電気的に接続され、
前記第９のトランジスタのソースまたはドレインの他方は、前記第２の配線と電気的に接続され、
前記第９のトランジスタのゲートは、前記第２のトランジスタのゲートと電気的に接続され、
前記第１０のトランジスタのソース又はドレインの一方は、前記ゲート線と電気的に接続され、
前記第１０のトランジスタのソース又はドレインの他方は、第６の配線と電気的に接続され、
前記第１１のトランジスタのソース又はドレインの一方は、前記ゲート線と電気的に接続され、
前記第１１のトランジスタのソース又はドレインの他方は、第７の配線と電気的に接続され、
前記第１２のトランジスタのソースまたはドレインの一方は、前記第１１のトランジスタのゲートに電気的に接続され、
前記第１２のトランジスタのソースまたはドレインの他方は、第８の配線に電気的に接続され、
前記第１３のトランジスタのソースまたはドレインの一方は、前記第１１のトランジスタのゲートに電気的に接続され、
前記第１３のトランジスタのソースまたはドレインの他方は、前記第７の配線に電気的に接続され、
前記第１３のトランジスタのゲートは、前記第１０のトランジスタのゲートに電気的に接続され、
前記第１４のトランジスタのソースまたはドレインの一方は、前記第１２のトランジスタのゲートに電気的に接続され、
前記第１４のトランジスタのソースまたはドレインの他方は、前記第８の配線に電気的に接続され、
前記第１４のトランジスタのゲートは、前記第８の配線に電気的に接続され、
前記第１５のトランジスタのソースまたはドレインの一方は、前記第１２のトランジスタのゲートに電気的に接続され、
前記第１５のトランジスタのソースまたはドレインの他方は、前記第７の配線に電気的に接続され、
前記第１５のトランジスタのゲートは、前記第１０のトランジスタのゲートに電気的に接続され、
前記第１６のトランジスタのソースまたはドレインの一方は、前記第１０のトランジスタのゲートに電気的に接続され、
前記第１６のトランジスタのソースまたはドレインの他方は、第９の配線に電気的に接続され、
前記第１６のトランジスタのゲートは、前記第９の配線に電気的に接続され、
前記第１７のトランジスタのソースまたはドレインの一方は、前記第１０のトランジスタのゲートに電気的に接続され、
前記第１７のトランジスタのソースまたはドレインの他方は、前記第７の配線に電気的に接続され、
前記第１７のトランジスタのゲートは、第１０の配線に電気的に接続され、
前記第１８のトランジスタのソースまたはドレインの一方は、前記第１０のトランジスタのゲートと電気的に接続され、
前記第１８のトランジスタのソースまたはドレインの他方は、前記第７の配線と電気的に接続され、
前記第１８のトランジスタのゲートは、前記第１０のトランジスタのゲートと電気的に接続され、
前記第３の配線に入力される信号は、前記第８の配線に入力される信号と異なり、
前記第１の配線に入力される信号は、前記第６の配線に入力される信号と同じである表示装置。
【請求項３】
請求項１または請求項２において、
前記第１の配線は、前記第６の配線と電気的に接続される表示装置。
【請求項４】
請求項１乃至請求項３のいずれか一において、
前記第２の配線は、前記第７の配線と電気的に接続される表示装置。
【請求項５】
請求項１乃至請求項４のいずれか一において、
前記第１のトランジスタのチャネル幅、または前記第２のトランジスタのチャネル幅は、前記第３のトランジスタ乃至前記第９のトランジスタのいずれのチャネル幅よりも大きい表示装置。
【請求項６】
請求項１乃至請求項５のいずれか一において、
前記第１０のトランジスタのチャネル幅、または前記第１１のトランジスタのチャネル幅は、前記第１２のトランジスタ乃至前記第１８のトランジスタのいずれのチャネル幅よりも大きい表示装置。